(57)【要約】【課題】複数層を有する建物の上階と下階とを仕切る床スラブを貫通した状態で埋め戻し固定され、床スラブに埋め戻される埋設部分の内側に流下する排水に直接作用して流れを調節する張り出し部を備える排水管継手において、通常使用時に音の発生を抑えることができ、且つ、排水設備の更新時には埋め戻しの埋戻し材を破壊することなく床スラブから引き抜くことを可能とする。【解決手段】張り出し部は、管壁が外面側に凹みを形成しながら管内方に入り込んで形成され、凹みが充填材Ｊで満たされており、床スラブＣＳに埋め戻される埋設部分２１ａから床スラブの下側に垂れ下がる垂下部分２１ｂにわたる下側部位２１は、外面の形状が、周方向には凹凸がなく下方に向かって段階的に外径が小さくなる形状とされており、下端に下階の排水立て管５１の受け口５３に挿入して接続される直管状の下端直管部３３が設けられている。【選択図】図１
2013032661.tif 000002
【特許請求の範囲】
【請求項１】
複数層を有する建物の上階と下階とを仕切る床スラブを貫通した状態で埋め戻し固定され、床スラブに埋め戻される埋設部分の内側に流下する排水に直接作用して流れを調節する張り出し部を備える排水管継手であって、
前記張り出し部は、管壁が外面側に凹みを形成しながら管内方に入り込んで形成され、前記凹みが充填材で満たされており、
床スラブに埋め戻される埋設部分から床スラブの下側に垂れ下がる垂下部分にわたる下側部位は、外面の形状が、周方向には凹凸がなく下方に向かって段階的に外径が小さくなる形状とされており、下端に下階の排水立て管の受け口に挿入して接続される直管状の下端直管部が設けられていることを特徴とする排水管継手。
【請求項２】
請求項１に記載の排水管継手であって、
床スラブの下側に垂れ下がる垂下部分には、下方に向かって外径が小さくなることで外面に段差が形成されており、該段差の下側に連続して前記下端直管部が設けられていることを特徴とする排水管継手。
【発明の詳細な説明】
【技術分野】
【０００１】
本発明は、排水管継手に関する。より詳しくは、複数層を有する建物の上階と下階とを仕切る床スラブを貫通した状態で埋め戻し固定され、床スラブに埋め戻される埋設部分の内側に流下する排水に直接作用して流れを調節する張り出し部を備える排水管継手に関する。
【背景技術】
【０００２】
従来、複数層を有する建物の排水設備において、排水管継手を床スラブの貫通孔に挿通させた状態で貫通孔をモルタル等で塞ぐことで、排水管継手を床スラブに直接埋め戻して設置することがある。そして、床スラブに埋め戻される排水管継手には、その内部に張り出し部を備えているものがある（下記特許文献１）。張り出し部は、その上面に流下する排水が当たることで、主として、流下する排水の流れの向きを変えたり、速度を落としたりして排水の流れを調節することを目的として設けられ、排水性能の向上に大きく貢献している。その一方で、張り出し部の上面に排水が衝突することで生じる音については、かねてから問題視されている。特に、排水管継手が床スラブに直接埋め戻される場合には、その衝突音が床スラブにダイレクトに伝播して住人に伝わるため切実な問題である。張り出し部の一つの形態として、外面に凹部を設けて管壁を内方に凹ませる所謂肉ぬすみ形態がある。肉ぬすみ形態は、管壁の肉厚変化を抑えることでヒケなどの鋳造欠陥や成型不良を起こしにくくして高い剛性を確保しやすい。その上、剛性の高さと、流下する排水が当たる上面の全周が自由状態ではなく管壁に支持された形状であることがあいまって、排水が当たったときに振動しにくく音が発生しにくい。したがって、振動および音の発生そのものを抑えることで、音が住人に伝わるのを抑えることができる点で優れている。
【０００３】
ところで、床スラブに直接埋め戻された排水管継手を更新するにあたっては、まず、排水管継手を床スラブから撤去しなければならない。従来、既存の排水管継手を床スラブから撤去する際には、下記特許文献２に示されるように、排水管継手の形状に関わらず常に、床スラブの貫通孔と排水管継手との間を埋めるモルタル（埋戻し材）をはつり機等で破壊したうえで、作業者が排水管継手を引っ張り上げて、床スラブからを引き抜く方法が採られている。埋戻し材の破壊にあたっては、振動や騒音が床スラブを伝わり直接的に居住空間へ伝播する。しかしながら、このことは、従来、当たり前のこととして認識されており、あまり問題視されてはいなかった。
【先行技術文献】
【特許文献】
【０００４】
【特許文献１】特開２００６−１０４７６２号公報
【特許文献２】特開２００７−１３８４２８号公報
【発明の概要】
【発明が解決しようとする課題】
【０００５】
本発明者らは、近年の在宅介護家庭の増加などを鑑み、従来の常識にとらわれることなく、住環境を一層の改善すべく熟考を重ねた。その結果、排水設備の更新時においても住人の日常生活への影響に配慮し、できるだけ振動や音を生じさせないために、埋戻し材を破壊することなく排水管継手を床スラブから引き抜くことを独自に想起した。しかしながら、排水管継手が床スラブに直接埋め戻されている場合には、張り出し部が肉盗み形態であると、外面の凹部に埋戻し材が入り込んで凝固しているため、単に排水管継手を引っ張るだけでは引き抜くことができず、現実的には埋戻し材の破壊は避けられなかった。したがって、通常使用時に音の発生を抑えることと、更新時における埋戻し材の破壊工程の廃止は両立させることができなかった。
【０００６】
そこで、本発明の課題は、複数層を有する建物の上階と下階とを仕切る床スラブを貫通した状態で埋め戻し固定され、床スラブに埋め戻される埋設部分の内側に流下する排水に直接作用して流れを調節する張り出し部を備える排水管継手において、通常使用時に音の発生を抑えることができ、且つ、排水設備の更新時には埋戻し材を破壊することなく床スラブから引き抜くことを可能とすることにある。
【課題を解決するための手段】
【０００７】
上記課題を解決するために本発明は次の手段を採用する。
本発明は、複数層を有する建物の上階と下階とを仕切る床スラブを貫通した状態で埋め戻し固定され、床スラブに埋め戻される埋設部分の内側に流下する排水に直接作用して流れを調節する張り出し部を備える排水管継手であって、前記張り出し部は、管壁が外面側に凹みを形成しながら管内方に入り込んで形成され、前記凹みが充填材で満たされており、床スラブに埋め戻される埋設部分から床スラブの下側に垂れ下がる垂下部分にわたる下側部位は、外面の形状が、周方向には凹凸がなく下方に向かって段階的に外径が小さくなる形状とされており、下端に下階の排水立て管の受け口に挿入して接続される直管状の下端直管部が設けられていることを特徴とする。
【０００８】
かかる排水管継手によれば、張り出し部の形態が、管壁が外面側に凹みを形成しながら管内方に入り込んで形成された所謂肉ぬすみ形態であるため剛性が高く、流下する排水が当たる上面の全周が自由状態でなく管壁に連続する形状であることがあいまって、振動および音の発生を抑えることができる。そして、張り出し部の外面側の凹みが充填材で満たされ、床スラブに埋め戻される埋設部分から床スラブの下側に垂れ下がる垂下部分にわたる下側部位の外面が、周方向には凹凸がなく下方に向かって段階的に外径が小さくなる形状とされ、下端に直管状の下端直管部が設けられている。埋設部分の外面において周方向に凹凸が無いため、排水管継手の外面形状に埋戻し材が入り込むことがない。また、埋設部分から下の下側部位の外面が、下方に向かって段階的に外径が小さくなる形状、言い換えれば、上方に向かって段階的に外径が大きくなる形状であるため、排水管継手を上方へ変位させると、埋設部分の外形を型にして形成された埋戻し材の貫通孔を、それ以下の部分が確実に通過できる。したがって、排水設備の更新の際に、埋戻し材を破壊することなく排水管継手を床スラブから引き抜くことが可能であり、埋戻し材の破壊に伴う振動・騒音を無くすことができる。
【０００９】
本発明の排水管継手は、床スラブの下側に垂れ下がる垂下部分に、下方に向かって外径が小さくなることで外面に段差が形成されており、該段差の下側に連続して前記下端直管部が設けられているのが好ましい。この場合、下方に向かって外径が小さくなっているため、埋戻し材を破壊することなく床スラブから引き抜くことが可能であって、排水管継手の更新に際して埋戻し材の破壊に伴う振動・騒音が生じないのはもとより、振動・騒音を抑制しながら排水立て管だけを更新することのできる排水設備を容易に構築することができる。というのも、段差が、下端直管部に外嵌された筒状の部材に当たることで該部材が相対的に上方へ変位しようとするのを止める、言い換えれば、当該排水管継手が相対的に下方へ変位しようとするのを止めるストッパとして機能することができるためである。排水設備の新設時、下端直管部の外側に筒状のスペーサー部材を嵌め、下端直管部を下階の排水立て管の上部の受け口に挿入して排水管継手を排水立て管に積み上げれば、スペーサー部材の長さ分だけは受け口に挿入されず、残りの一定長さだけが挿入された状態で排水管継手が位置決めされる。その状態で排水管継手を床スラブに埋め戻しておよび、あるいは支持具、吊り具等を用いて固定した後、スペーサー部材を取り除くと、スペーサー部材の長さ分だけ排水立て管を上方への変位させることが可能な状態となる。それにより、排水立て管を上方へ変位させて下側の排水管継手から引き抜き、斜め下方に変位させて上側の排水管継手から引き抜くことで、上下の排水管継手が固定されたままでも排水立て管を切断することなく更新することが可能となる。排水立て管を切断しないことで、それに伴う振動・騒音を生じることなく排水立て管のみを更新することができる。
【発明の効果】
【００１０】
本発明の排水管継手よれば、通常使用時に流下する排水が張り出し部に当たることによる音の発生を抑えることができ、且つ、排水設備の更新時には埋戻し材を破壊することなく床スラブから引き抜くことができる。
【図面の簡単な説明】
【００１１】
【図１】本発明の実施形態１に係る排水設備の正面図である。
【図２】図１に示される排水設備のＩＩ−ＩＩ線断面図である。
【図３】図２に示される排水管継手のＩＩＩ−ＩＩＩ線断面図である。
【図４】図３に示される排水管継手のＩＶ−ＩＶ線断面図である。
【図５】図３に示される排水管継手のＶ−Ｖ線断面図である。
【図６】図１に示される排水設備の正面図であり、排水設備の新設時に排水管継手を配管する過程を示す図である。
【図７】図１に示される排水設備の正面図であり、排水管継手を更新する過程を示す図である。
【発明を実施するための形態】
【００１２】
［実施形態１］
図１〜７を参照しながら本発明の一実施形態について説明する。本実施形態に係る排水設備Ｈ１は、立て管系統に排水管継手１１と排水立て管５１を備えている。まず、この排水設備Ｈ１を構成する各部材について説明する。
【００１３】
＜排水管継手１１について＞
図１に示されるように、排水管継手１１は、複数層を有する建物の上階Ａと下階Ｂとを仕切る床スラブ（コンクリートスラブ）ＣＳを貫通して各階に設置されている。排水管継手１１は、床スラブＣＳに形成された貫通孔ＣＨに挿通されてモルタルＭｒで埋め戻されて床スラブＣＳに固定されている。排水管継手１１は、上階Ａの排水立て管５１（５１ａ）及び排水横枝管６１により導かれた排水を合流させて下階Ｂの排水立て管５１（５１ｂ）に流入させる。排水管継手１１は、床スラブＣＳの上側（上階Ａ）に露出している部分である上側部位１３の上端部に上受け口１５を備えており、上階Ａの排水立て管５１（５１ａ）の直管状の下端部が挿入されて接続されている。また、上側部位１３には、胴周りに突出して複数の横枝管受け口１７が設けられており、排水横枝管６１の末端が挿入されて接続されている。なお、図１において、紙面手前に延びる排水横枝管は図示を省略している。
【００１４】
排水管継手１１の床スラブＣＳに埋没している埋設部分２１ａから床スラブＣＳの下側（下階Ｂ）に露出している垂下部分２１ｂにわたる下側部位２１は、上から順に、胴部２３、テーパ縮径部２５、第１の直管部３１及び第２の直管部３３が連なって構成されている。胴部２３、テーパ縮径部２５及び第１の直管部３１の上側の一部分が床スラブＣＳに埋没しており、第１の直管部３１の下側の残りの部分と第２の直管部３３とが床スラブＣＳから下階Ｂに垂下している。
【００１５】
胴部２３は、外側から見ると凹凸のない直管状である。図２等に示されるように、内側には張り出し部２７，２９が設けられている。張り出し部２７，２９は、管の軸心から見て左下がりに傾斜するように管内壁から管内方に張り出しており、相互に対向する二箇所に設けられている。張り出し部２７，２９は上下位置が互いに重複しつつもずれた位置に設けられており、胴部２３からテーパ縮径部２５に跨って設けられている。この張り出し部２７，２９に流下する排水が当たることで排水を減速させながら旋回させることができる。その結果、排水時の管内の圧力変動が抑制されスムーズに排水することができる。
【００１６】
張り出し部２７，２９は、図３〜図５に示されるように、周囲の管壁１２が、その厚みを極端に変えることなく管内方に入り込んで形成されている。排水管継手１１は、鋳物を主体として構成されており、その全体のうち張り出し部２７，２９の形成されている部分以外の部分は、基本的には鋳鉄からなる一重構造の管壁で形成されている。その鋳鉄製の管壁１２が、管内方に入り込んで張り出し部２７，２９が形作られているのである。そのため、張り出し部２７，２９の外面側には鋳鉄の凹部２７ｕ，２９ｕが形成されており、その凹部２７ｕ，２９ｕは充填材Ｊで満たされている。したがって、排水管継手１１の外面は、張り出し部２７，２９の形成されている部分は充填材Ｊで構成されている。充填材Ｊは、鋳鉄製の周囲の管壁１２と段差無く滑らかな外面形状を形成しており、胴部２３の外面形状は凹凸のない直管状であり、テーパ縮径部２５の外面形状は凹凸のない略テーパ形状となっている。
【００１７】
本実施形態では、充填材Ｊとして、珪砂に水ガラスを配合してＣＯ2ガスとの反応により硬化させたものを用いている。充填材Ｊを予め鋳物とは別体として形成しておき、凹部２７ｕ，２９ｕに嵌め込んで接着する。接着には両面テープあるいは接着剤を用いることができる。充填材Ｊとしては、他の耐火材も好ましく用いられ、例えば、珪砂に少量の熱可塑性フェノールレジンを混合して焼成したもの、珪酸カルシウムを主原料として繊維材料を混合した成形材料、あるいはモルタル等が挙げられる。また、凹部２７ｕ，２９ｕを型にして充填材Ｊの原料を流し込み、成型してもよい。
【００１８】
第１の直管部３１と第２の直管部３３とは、図２に示されるように、内径は同じであり、内面は段差のない一続きの直管形状である。管壁は、第２の直管部３３に比べて第１の直管部３１の方が厚く、第２の直管部３３は第１の直管部３１に比べて外径が小さくなっている。それにより、第１の直管部３１と第２の直管部３３との間には外面に段差３５が形成されている。本実施形態では、第２の直管部３３の厚みは約５ｍｍであり、第１の直管部３１の厚みは９〜１０ｍｍ程度であり、間に４〜５ｍｍの段差３５が形成されている。段差３５より下に延びる第２の直管部３３が下階Ｂに配管された排水立て管５１（５１ｂ）の上端に設けられた上部受け口５３に挿入されて排水立て管５１と接続されている。この第２の直管部３３が本発明の下端直管部に相当する。この排水設備Ｈ１では、排水管継手１１が上下の床スラブＣＳに固定されたままで間の排水立て管５１だけを更新することもできるように、下端直管部（第２の直管部）３３が、上部受け口５３に対して底付き状態ではなく、一定長さのみが挿入されて更に挿入することのできる余地を残した状態となっている（図２参照）。その構成の詳細については、排水立て管５１の更新方法とともに後で詳述する。
【００１９】
＜排水立て管５１＞
排水立て管５１は、直管の上端部に排水管継手１１の下端直管部（第２の直管部）３３を挿入可能な上部受け口５３を備えており、直管状の排水用塩ビライニング鋼管（ＤＶＬＰ）である立て管本体５５と、その上端部に組み付けられた受け口ソケット７１とで構成されている。受け口ソケット７１は、下部に立て管本体５５と同径の頸部７３を有し、頸部７３の上側に上方へ広がる拡開部７５を介して、下端直管部（第２の直管部）３３を挿入可能な略筒状の部分として上部受け口５３が形成されている。上部受け口５３の上端付近の内面には、Ｏリングパッキン５３ｐが保持されており、下端直管部（第２の直管部）３３と水密に接続されている。上部受け口５３は、その内面形状がＯリングパッキン５３ｐの保持位置より下方に向かって広がった形状となっており、排水立て管５１の更新の際に、下端直管部（第２の直管部）３３に対して排水立て管５１を傾けるためのスペースを形成している。
【００２０】
受け口ソケット７１の頸部７３と立て管本体５５とは、受け口ソケット７１の下端に設けられた所謂メカニカル形式の接続構成７７で接続されている。その接続構成７７は、図２に示されるように、受け口ソケット７１の下端に形成された下部受け口７７ｕに立て管本体５５の上端部を挿入した状態で、立て管本体５５に外嵌した別体のフランジ部材７７ｆを、間に環状のパッキン７７ｐを挟んで下部受け口７７ｕの鍔部７７ｔにボルト・ナット７７ｂで締結したものである。その締結力により、鍔部７７ｔとフランジ部材７７ｆとに挟まれた環状パッキンが変形して立て管本体５５の外周面にも密着することで、受け口ソケット７１と立て管本体５５とが水密に接続されている。
【００２１】
＜排水設備Ｈ１の施工方法について＞
排水設備Ｈ１の立て管系統は、基本的には、排水立て管５１と排水管継手１１とを交互に積み上げることにより施工することができる。排水立て管５１に排水管継手１１を積み上げるときは、図６に白抜き矢印Ｘとして示されるように、排水管継手１１を床スラブＣＳの貫通孔ＣＨに挿通させて下方に変位させ、下階Ｂに配管された排水立て管５１の上部受け口５３に下端直管部（第２の直管部）３３を挿入する。その際、下端直管部（第２の直管部）３３には、筒状のスペーサー部材８１を外嵌しておく。スペーサー部材８１が段差３５に当たるとともに上部受け口５３の上面に当たった状態となることで、排水管継手１１の変位は止められる。その結果、下端直管部（第２の直管部）３３は、スペーサー部材８１の長さ分だけは上部受け口５３に挿入されず、その下側の残りの一定長さのみが上部受け口５３に挿入された状態で位置決めされる（図１参照）。そして、その状態で床スラブＣＳの貫通孔ＣＨをモルタルＭｒで埋めて排水管継手１１を床スラブＣＳに固定する。排水管継手１１に排水立て管５１を積み上げるときは、排水管継手１１の上受け口１５に排水立て管５１の下端部を挿入し、上受け口１５に底付きになるまで差し込んで排水管継手１１の上に立設される。スペーサー部材８１は、施工後に取り除くことができるものであり、例えば、径方向の断面で見て半円形の二部材をつき合わせて分解可能に接合して筒状にしたものである。スペーサー部材８１は、施工後、排水立て管５１のみを更新する前までには取り除かれる。
【００２２】
＜排水設備Ｈ１の更新方法について＞
排水設備Ｈ１の排水管継手１１と排水立て管５１とを更新する場合には、まず、施工時とは逆に、排水管継手１１と排水立て管５１とを上から順に引き抜いて撤去する。そして、新たな排水管継手１１と排水立て管５１とを下から順に積み上げて配管する。排水管継手１１を撤去する際には、モルタルＭｒを破壊することなく引き抜けばよい。排水管継手１１は、埋設部分２１ａの外面の周方向には凹凸がないためモルタルＭｒのくい込みがなく、埋設部分２１ａより下の下側部位２１が下方に向かって段階的に外形が小さくなる形状であるから、図７に白抜き矢印Ｙで示されるように上方へ変位させることで、排水管継手１１の埋設部分２１ａの外面形状を型にして形成されたモルタルＭｒの貫通孔ＭＨをそれ以下の部分が確実に通過できる。そのため、モルタルＭｒを破壊することなく引き抜くことができる。そうすると、排水管継手１１の撤去後には、床スラブＣＳには、排水管継手１１の外面形状を型にしてモルタルＭｒで形成された貫通孔ＭＨが残る。新たな排水管継手１１を配管する際には、このモルタルＭｒの貫通孔ＭＨを利用し、白抜き矢印Ｚで示されるように、ちょうど同じ形の排水管継手を嵌め込んで配管すればよい。また、モルタルＭｒの貫通孔ＭＨよりもスリムな排水管継手を配管して隙間をモルタル等の目地材で埋めてもよい。
【００２３】
＜排水設備Ｈ１の排水立て管５１だけを更新する方法について＞
排水設備Ｈ１の排水立て管５１のみを更新する場合は、施工時に用いたスペーサー部材８１は予め取り除いておく。すると、スペーサー部材８１の長さ分だけは、上部受け口５３で下端直管部（第２の直管部）３３をのみ込みながら排水立て管５１を上方へ変位させることができる。スペーサー部材８１の長さは、排水立て管５１を上方へ変位させると排水立て管５１の下端部が排水管継手１１の上受け口１５から引き抜かれる長さに設定されている。したがって、先ず、排水立て管５１を上方へ変位させて下の排水管継手１１から引き抜く。次いで、排水立て管５１を斜めに傾けながら下方へ変位させて上部受け口５３を上の下端直管部（第２の直管部）３３から引き抜く。これにより、排水立て管５１を切断することなく、固定された上下の排水管継手１１の間から撤去することができる。そして、逆の手順で新たな排水立て管５１を配管することで排水立て管５１のみを更新することができる。
【００２４】
以上の構成の排水設備Ｈ１によれば、以下の作用効果を奏する。
まず、排水管継手１１は、内部の張り出し部２７，２９により、排水の流れをコントロールして排水時の圧力変動を抑え、スムーズに排水することができる。そして、この張り出し部２７，２９は周囲の管壁が管内方に入り込んで形成されており、外側に凹部２７ｕ，２９ｕが形成されることで鋳鉄の肉厚が極端に変化しないので、鋳造後の内部応力を小さく抑えることでヒケなどの鋳造欠陥を防ぐとともに剛性も高められている。そのうえ、張り出し部２７は、図３によく示されるように、流下する排水が当たる上面２７ａの周囲がすべて周囲の管壁１２に繋がっており自由状態ではないため、流下する排水が上面２７ａに当たった際に張り出し部２７が振動しにくく音の発生を抑えることができる。
【００２５】
また、図７に示されるように、排水設備Ｈ１の更新時には、モルタルＭｒを破壊することなく排水管継手１１を床スラブＣＳから引き抜くことができる。したがって、モルタルＭｒの破壊作業をしないことで、それに伴う振動・騒音はもちろん粉塵の発生等を無くすことができる。また、排水管継手１１を引き抜いた後に残るモルタルＭｒの貫通孔ＭＨに同じ形の排水管継手を配管すれば、埋め戻し作業が不要であって作業工程が減るとともに、埋め戻しのための材料が不要となる。排水管継手１１よりもスリムな排水管継手を配管した場合でも、埋め戻しのための材料が少なくて済む。
【００２６】
また、排水管継手１１は、下端直管部（第２の直管部）３３の上端に径方向外側に広がる段差３５が形成されており、下端直管部（第２の直管部）３３にスペーサー部材８１を外嵌しておきさえすれば、単に排水立て管５１に積み上げるだけで排水立て管５１の上部受け口５３に対する下端直管部（第２の直管部）３３の挿入長さを規制することができる。したがって、排水立て管５１を切断することなく上下の排水管継手１１から引き抜いて更新することのできる排水設備Ｈ１を容易に新設することができる。かかる排水設備Ｈ１によれば、排水立て管５１だけを更新する際に排水立て管５１の切断作業をしないことで、それに伴う振動・騒音の発生を無くすことができる。
【００２７】
なお、上記実施形態１は、その他種々の変更例が考えられるものである。
排水設備が、切断を伴わず排水立て管だけ更新することを要せず、配管時に排水立て管５１の上部受け口５３に対する下端直管部（第２の直管部）３３の挿入長さを規制する必要が無い場合には、排水管継手１１に段差３５を形成せず、第１の直管部３１と第２の直管部３３とを肉厚の等しい外面もストレートな直管状としてもよい。
また、排水管継手１１は、上受け口１５を分割形成して連結する所謂二体型としてもよい。
また、排水管継手１１は、鋳鉄でなく硬質塩化ビニル等の樹脂を主体として形成してもよい。
また、排水管継手１１は、樹脂製の主体部分を複数の部材を組み立てて一体化して形成することもできる。
【００２８】
なお、本発明の応用技術として、例えば樹脂製の主体部分を複数の部材を組み立てて一体化して形成する場合などに、下側部位における樹脂製の主体部分の外面において、全周あるいは部分的にそれ以下の部分よりも凹んでいる部分が生じる場合には、その凹んでいる部分を充填材で満たして、周方向には凹凸がなく下方に向かって段階的に外径が小さくなる形状として床スラブから引き抜き可能とすることができる。
【符号の説明】
【００２９】
１１   排水管継手
１２   管壁
２１   下側部位
２１ａ 埋設部分
２１ｂ 垂下部分
２３   胴部
２５   テーパ縮径部
２７ａ 上面
２７，２９    張り出し部
２７ｕ，２９ｕ       凹部
３１   第１の直管部
３３   第２の直管部
３５   段差
５１   排水立て管
５３   上部受け口
５５   管本体
Ｈ１   排水設備
ＣＳ   床スラブ
ＣＨ   貫通孔
Ｊ     充填材
Ｍｒ   モルタル
【図１】
2013032661.tif 000003
【図２】
2013032661.tif 000004
【図３】
2013032661.tif 000005
【図４】
2013032661.tif 000006
【図５】
2013032661.tif 000007
【図６】
2013032661.tif 000008
【図７】
2013032661.tif 000009